(57)【要約】【課題】本体筐体壁部に本体筐体と略三角形状の右側面風路塞ぎ板との嵌合部に本体筐体風路側に向かって露を回収する隙間を持ったリブ等を設けたことにより、風路内に侵入する可能性のある露を回収できる空気調和機の室内機を得ること。【解決手段】この発明に係る空気調和機の室内機は、本体筐体内の吸込口と送風機との間の風路に前面側熱交換器及び背面側熱交換器を設け、本体筐体と前面側及び背面側熱交換器との間に略三角形状の右側面風路塞ぎ板を設けた空気調和機の室内機において、右側面風路塞ぎ板と本体筐体壁部との嵌合部に、本体筐体壁部から風路内に向って延びたリブを設けたことを特徴とする。【選択図】図５
2006194586.tif 000002
【特許請求の範囲】
【請求項１】
本体筐体内の吸込口と送風機との間の風路に前面側熱交換器及び背面側熱交換器を設け、前記本体筐体と前記前面側及び背面側熱交換器との間に略三角形状の右側面風路塞ぎ板を設けた空気調和機の室内機において、
前記右側面風路塞ぎ板と前記本体筐体壁部との嵌合部に、前記本体筐体壁部から風路内に向って延びたリブを設けたことを特徴とする空気調和機の室内機。
【請求項２】
前記リブは、前記本体筐体壁部から風路内に向かって略直角に突出して設けたことを特徴とする請求項１記載の空気調和機の室内機。
【請求項３】
前記リブを断面略Ｌ字状に形成し、前記右側面風路塞ぎ板との間に露を回収する桶形状の隙間を設けたことを特徴とする請求項１記載の空気調和機の室内機。
【請求項４】
前記本体筐体と前記右側面風路塞ぎ板との前記リブ付近の嵌合部を風路外側に傾斜させたことを特徴とする請求項１記載の空気調和機の室内機。
【発明の詳細な説明】
【技術分野】
【０００１】
この発明は、空気調和機の室内機の露回収構造に関するものである。
【背景技術】
【０００２】
図８，９は、例えば特開平９−８５０３２号公報に示された従来の空気調和機の室内機を示す図である。図８，９において、本体筐体１と、この本体筐体１の前面に取り付けられる意匠部のパネル、このパネルの前面に取り付けられる前面カバー、この前面カバーの前面とパネルの前面、及び上面に形成された吸込口と送風機２を結ぶ風路に前面側熱交換器３、背面側熱交換器４を配置する。
また、背面側熱交換器４に付着した露を長手方向に水平な背面側熱交換器用ドレンパン６にて回収し、左右のドレン排出口より露を排出する機構を持つ壁掛け式の空気調和機の室内機である。
【０００３】
次に動作について説明する。このような従来の空気調和機においては、本体筐体１に前面側熱交換器３、背面側熱交換器４が固定され、背面側熱交換器４に付着した露は背面側熱交換器用ドレンパン６によって回収される。露は背面側熱交換器用ドレンパン６の左右のドレン排出口から排出される。
また、略三角形状の右側面風路塞ぎ板５は本体筐体壁部と本体筐体１に固定された前面側熱交換器３、背面側熱交換器４の間に設けられ、風路内への風の侵入を防いでいる。しかし、図１０に示すように、略三角形状の右側面風路塞ぎ板５に結露した露１０が風路内に侵入する恐れがある。
【特許文献１】特開平９−８５０３２号公報
【発明の開示】
【発明が解決しようとする課題】
【０００４】
従来の空気調和機は以上のように構成されており、本体筐体１の背面側熱交換器用ドレンパン６が水平な為、露が溜まり易く、排水効率が良くないということと、冷やされた露が溜まり本体筐体１の背面に結露し易いという問題点があった。
さらに、略三角形状の右側面風路塞ぎ板５に結露した露が風路内に侵入する可能性があるという問題点があった。
【０００５】
この発明は、上記のような問題点を解消するためになされたもので、第１の目的は、本体筐体に固定された背面側熱交換器のドレンパンを長手方向に傾斜させることにより、露が溜まる恐れが少なく、効率のよい排水ができ、同時に本体筐体背面への結露を減少させることができる空気調和機の室内機を得ることである。
【０００６】
また、第２の目的は、本体筐体壁部に本体筐体と略三角形状の右側面風路塞ぎ板との嵌合部に本体筐体風路側に向かって露を回収する隙間を持ったリブ等を設けたことにより、風路内に侵入する可能性のある露を回収できる空気調和機の室内機を得ることである。
【課題を解決するための手段】
【０００７】
この発明に係る空気調和機の室内機は、本体筐体内の吸込口と送風機との間の風路に前面側熱交換器及び背面側熱交換器を設け、本体筐体と前面側及び背面側熱交換器との間に略三角形状の右側面風路塞ぎ板を設けた空気調和機の室内機において、右側面風路塞ぎ板と本体筐体壁部との嵌合部に、本体筐体壁部から風路内に向って延びたリブを設けたことを特徴とする。
【発明の効果】
【０００８】
この発明に係る空気調和機の室内機は、本体筐体と略三角形状の右側面風路塞ぎ板との嵌合部の本体筐体壁部風路側に突き出すリブを設けたことにより、風路内に進入する可能性のある露の回収が容易にできる。
【発明を実施するための最良の形態】
【０００９】
実施の形態１．
以下、この発明の実施の形態１を図について説明する。
図１はこの発明の実施の形態１を示す図で、空気調和機の室内機の正面図である。また、全体構成については、従来のものの図８と同様であり、同図を説明に用いることにする。
図において、本体筐体１に前面側熱交換器３、背面側熱交換器４が固定されている。背面側熱交換器４の下方に背面側熱交換器用ドレンパン６が右から左に向かって傾斜して設けられ、傾斜部最下点にドレン排出口７が配置されている。
【００１０】
次に動作について説明する。このように構成された空気調和機において、本体筐体１に固定された背面側熱交換器４で凝縮された露は本体筐体１の背面側熱交換器用ドレンパン６を経由し、ドレン排出口７から排水される。
【００１１】
上述の実施の形態によれば、背面側熱交換器用ドレンパン６を長手方向に傾斜させることにより、露が溜まらないため効率よく排水でき、本体筐体１背面への結露を減少させることができる。
【００１２】
この発明の実施の形態に係る空気調和機の室内機は、背面側熱交換器用ドレンパンを長手方向の片側に傾斜させたものである。
【００１３】
この発明の実施の形態に係る空気調和機の室内機は、以上説明したように構成されているため、以下に示すような効果が得られる。
本体筐体に固定された背面側熱交換器用ドレンパンを長手方向に傾斜させることにより、露が溜まりにくく効率よい排水が得られ、本体筐体背面への結露を減少させることができる。
【００１４】
実施の形態２．
上記実施の形態１では、背面側熱交換器用ドレンパン６が右から左に向かって傾斜して設けられていたが、本実施の形態では図２に示すように背面側熱交換器用ドレンパン６が中央から両側に向かって傾斜して設けられ、傾斜部最下点にドレン排出口７が配置されていることにより、背面側熱交換器４で凝縮した露は本体筐体１の背面側熱交換器用ドレンパン６を流れ、左右両側のドレン排出口７から排水される。
【００１５】
または、図３に示すように背面側熱交換器用ドレンパン６が両側から中央に向かって傾斜して設けられ、傾斜部最下点にドレン排出口７が配置されていることにより、背面側熱交換器４で凝縮された露は本体筐体１の背面側熱交換器用ドレンパン６を経由し、中央のドレン排出口７から排水する事が出来る。
【００１６】
上述の実施の形態によれば、本体筐体１に固定された背面側熱交換器ドレンパン６を中央から両側または両側から中央に向って下向きに傾斜させることにより、露が溜まらないため効率よく排水でき、本体筐体１背面への結露を減少させることができる。
【００１７】
この発明の実施の形態に係る空気調和機の室内機は、背面側熱交換器用ドレンパンを長手方向中央から両側に向かって下向きに傾斜させたものである。
【００１８】
この発明の実施の形態に係る空気調和機の室内機は、背面側熱交換器用ドレンパンを長手方向両側から中央に向かって下向きに傾斜させたものである。
【００１９】
実施の形態３．
図４、５はこの発明の実施の形態３を示す図で、空気調和機の要部斜視図と要部断面図である。
図において、本体筐体１とこの本体筐体１に固定された前面側熱交換器３、背面側熱交換器４との間に略三角形状の右側面風路塞ぎ板５が配置され、右側面風路塞ぎ板５と本体筐体壁部８との嵌合部に本体筐体壁部８から風路側に突き出すリブ９が設けられている。
【００２０】
このように構成された空気調和機において、本体筐体１と略三角形状の右側面風路塞ぎ板５に結露した露１０は、本体筐体壁部８の風路側に突き出すリブ９で回収される。
【００２１】
上述の実施の形態によれば、本体筐体壁部８から風路側に突き出すリブ９を設けることにより、風路内に侵入する可能性のある露の回収が容易にできる。
【００２２】
この発明の実施の形態に係る空気調和機の室内機は、リブは本体筐体壁部から風路内に向かって略直角に突出して設けたものである。
【００２３】
実施の形態４．
図６の要部断面図に示すように、略三角形状の右側面風路塞ぎ板５と平行に前記右側面風路塞ぎ板５との間に露１０を回収する隙間を形成する断面Ｌ字状のリブ９を設け、この桶形状の隙間に露１０が回収される。
【００２４】
この発明の実施の形態に係る空気調和機の室内機は、リブを断面略Ｌ字状に形成し、略三角形状の右側面風路塞ぎ板との間に露を回収する桶形状の隙間を設けたものである。
【００２５】
実施の形態５．
図７の要部断面図に示すように、リブ９あるいは前記樋形状の本体筐体１と略三角形状の右側面風路塞ぎ板５の接触面を共に風路外側に傾斜させることにより露１０が回収される。
【００２６】
これら図５〜図７に示す右側面風路塞ぎ板５と本体筐体部８とは、リブ９の存在によって従来のものに比し、分離方向（上下、左右方向）に新たな規制を加えるものではないので、リサイクル処理における解体時の作業が従来と殆ど変わりなく容易に行える。
【００２７】
この発明の実施の形態に係る空気調和機の室内機は、本体筐体と右側面風路塞ぎ板とのリブ付近の嵌合部を風路外側に傾斜させたものである。
【図面の簡単な説明】
【００２８】
【図１】この発明の実施の形態１における空気調和機の正面図である。
【図２】この発明の実施の形態２における空気調和機の正面図である。
【図３】この発明の実施の形態２における空気調和機の正面図である。
【図４】この発明の実施の形態３における空気調和機の要部斜視図である。
【図５】この発明の実施の形態３における空気調和機の要部断面図である。
【図６】この発明の実施の形態４における空気調和機の要部断面図である。
【図７】この発明の実施の形態５における空気調和機の要部断面図である。
【図８】従来の空気調和機を示す断面図である。
【図９】従来の空気調和機を示す要部斜視図である。
【図１０】従来の空気調和機を示す要部断面図である。
【符号の説明】
【００２９】
１  本体筐体、２  送風機、３  前面側熱交換器、４  背面側熱交換器、５  略三角形状の右側面風路塞ぎ板、６  背面側熱交換器用ドレンパン、７  ドレン排出口、８  本体筐体壁部、９  リブ、１０  露。
【図１】
2006194586.tif 000003
【図２】
2006194586.tif 000004
【図３】
2006194586.tif 000005
【図４】
2006194586.tif 000006
【図５】
2006194586.tif 000007
【図６】
2006194586.tif 000008
【図７】
2006194586.tif 000009
【図８】
2006194586.tif 000010
【図９】
2006194586.tif 000011
【図１０】
2006194586.tif 000012